(57)【要約】【課題】小型化を図りつつ輝度ムラを低減して視認性を高めることが可能な計器の照明構造を提供すること。【解決手段】一部が開口された箱状の収容部３３の開口部３４を塞ぐように装着された液晶表示板２１と、収容部３３内に設けられた光源４３と、液晶表示板２１の一縁部側における光源４３と液晶表示板２１との間に設けられて光源４３からの光Ｌを反射させる第一反射面４５と、液晶表示板２１の対向位置に配置されて第一反射面４５で反射された光Ｌを反射させて液晶表示板２１へ導く第二反射面４８と、を備え、第一反射面４５は、両側の隅部が、第二反射面４８の幅方向の略中央に向けられた補助反射面４５ａとされ、補助反射面４５ａで反射された光源４３からの光Ｌａが第二反射面４８の略中央へ導かれる。【選択図】図４
2014109542.tif 000002
【特許請求の範囲】
【請求項１】
一部が開口された箱状の収容部の開口部を塞ぐように装着された照明対象物と、
前記収容部内に設けられた光源と、
前記照明対象物の一縁部側における前記光源と前記照明対象物との間に設けられて前記光源からの光を反射させる第一反射面と、
前記照明対象物の対向位置に配置されて前記第一反射面で反射された光を反射させて前記照明対象物へ導く第二反射面と、
を備え、
前記第一反射面は、両側の隅部が、前記第二反射面の幅方向の略中央に向けられた補助反射面とされ、該補助反射面で反射された前記光源からの光が前記第二反射面の略中央へ導かれることを特徴とする計器の照明構造。
【請求項２】
前記照明対象物は、対向する縁部に複数の端子を配列させた配列長さの異なる端子群を有する液晶表示板であり、前記光源は、配列長さが短い端子群の両側に配置されていることを特徴とする請求項１に記載の計器の照明構造。
【発明の詳細な説明】
【技術分野】
【０００１】
本発明は、自動車用計器や船舶用計器、航空機用計器など各種計器の照明構造に関する。
【背景技術】
【０００２】
自動車用メータ等に設けられた液晶表示板を照明する技術として、液晶表示板の下側両端に光源を配し、中央部に向けて反射させる照明構造が知られている（例えば、特許文献１参照）。
【０００３】
この照明構造は、液晶表示板からなる表示部の背面に対向する開口部と、開口部の左右側端部より左右後側方に向かって湾曲する一対の湾曲前側面と、開口部の開口を臨み中央部が開口部側に突出する湾曲後側面とを備え、湾曲後側面が、湾曲前側面の反射面を介して入射される光源の照射光を、開口部の開口面に直交する方向へ反射させる湾曲形状を呈している。
【先行技術文献】
【特許文献】
【０００４】
【特許文献１】特開２００５−２１４７９０号公報
【発明の概要】
【発明が解決しようとする課題】
【０００５】
ところで、上記のように表示部を照明する構造では、光源からの直接光が輝度ムラの要因となる。このため、表示部の両側に展開する湾曲前側面が必要となり、表示部周辺のスペースが大きく必要となる。また、端子数の増加に伴い表示部がさらに長くなると、均等照明がさらに困難となる。
【０００６】
本発明は、上述した事情に鑑みてなされたものであり、その目的は、小型化を図りつつ輝度ムラを低減して視認性を高めることが可能な計器の照明構造を提供することにある。
【課題を解決するための手段】
【０００７】
前述した目的を達成するために、本発明に係る計器の照明構造は、下記（１）及び（２）を特徴としている。
（１）  一部が開口された箱状の収容部の開口部を塞ぐように装着された照明対象物と、
前記収容部内に設けられた光源と、
前記照明対象物の一縁部側における前記光源と前記照明対象物との間に設けられて前記光源からの光を反射させる第一反射面と、
前記照明対象物の対向位置に配置されて前記第一反射面で反射された光を反射させて前記照明対象物へ導く第二反射面と、
を備え、
前記第一反射面は、両側の隅部が、前記第二反射面の幅方向の略中央に向けられた補助反射面とされ、該補助反射面で反射された前記光源からの光が前記第二反射面の略中央へ導かれること。
（２）  上記（１）の構成の計器の照明構造において、前記照明対象物は、対向する縁部に複数の端子を配列させた配列長さの異なる端子群を有する液晶表示板であり、前記光源は、配列長さが短い端子群の両側に配置されていること。
【０００８】
上記（１）の構成の計器の照明構造では、光源の光を第一反射面で反射させて第二反射面へ導き、この第二反射面で反射させて照明対象物へ導くので、照明対象物を良好に照明することができる。
また、光源から側方へ向かう一部の光は、第二反射面の幅方向の略中央へ向けられた補助反射面で第二反射面の略中央へ向けて反射され、第二反射面で反射されて照明対象物へ導かれる。つまり、光源から側方へ向かう一部の光は、収容部を形成する側壁等で乱反射することなく照明対象物へ導かれることとなる。したがって、乱反射による照明対象物における輝度ムラを抑制しつつ光源からの光を有効に利用することができ、照明対象物の視認性を高めることができる。
また、反射面を計器の両側部に設けることなく、光源から側方へ向かう一部の光を略中央へ導く構造であるので、照明対象物の小型化を図ることができる。
上記（２）の構成の計器の照明構造では、液晶表示板に設けられた配列長さの短い端子群の両側に光源を配置させることでスペースの有効利用を図ることができる。これにより、液晶表示板を良好に照明しつつ液晶表示板の小型化を図ることができる。
【発明の効果】
【０００９】
本発明によれば、小型化を図りつつ輝度ムラを低減して視認性を高めることが可能な計器の照明構造を提供できる。
【００１０】
以上、本発明について簡潔に説明した。更に、以下に説明される発明を実施するための形態（以下、「実施形態」という。）を添付の図面を参照して通読することにより、本発明の詳細は更に明確化されるであろう。
【図面の簡単な説明】
【００１１】
【図１】図１は、本発明の照明構造が適用されるメータ装置の正面図である。
【図２】図２は、照明構造を説明する表示画面部分の分解斜視図である。
【図３】図３は、照明構造を説明する表示画面部分の断面図である。
【図４】図４は、表示画面部分での光路を示す一部の斜視図である。
【図５】図５は、表示画面部分での光路を示す概略平面図である。
【図６】図６は、参考例に係る表示画面部分での光路を示す一部の斜視図である。
【図７】図７は、参考例に係る表示画面部分での光路を示す概略平面図である。
【発明を実施するための形態】
【００１２】
以下、本発明に係る実施の形態の例を、図面を参照して説明する。
【００１３】
図１は、本発明の照明構造が適用されるメータ装置の正面図、図２は、照明構造を説明する表示画面部分の分解斜視図、図３は、照明構造を説明する表示画面部分の断面図、図４は、表示画面部分での光路を示す一部の斜視図、図５は、表示画面部分での光路を示す概略平面図である。
【００１４】
図１に示すように、本実施形態の照明構造が適用されるメータ装置（計器）１１は、自動車等の車両に設けられるものである。このメータ装置１１は、二つの指示計器１２、表示画面１３、一対のウインカ表示部１４を備えるコンビネーションメータであり、ケース１５によって周囲が囲われている。
【００１５】
指示計器１２には、それぞれ指針１６が設けられている。一方の指示計器１２は指針１６によって車両速度を示す速度計とされており、他方の指示計器１２は指針１６によってエンジン回転数を示す回転計とされている。
【００１６】
表示画面１３は、例えば、燃料の残量表示や走行距離などの各種の車両走行に必要な事項が表示される。メータ装置１１には、操作ノブ１７が設けられており、この操作ノブ１７を操作することで表示画面１３における表示内容が変更可能とされている。
【００１７】
図２及び図３に示すように、表示画面１３は、照明対象物である液晶表示板（ＬＣＤ）２１を備えている。この液晶表示板２１は、その表面が表示面２２とされており、互いに対向する側縁には、複数の端子２３を備えた端子群２４ａ，２４ｂが設けられている。それぞれの端子群２４ａ，２４ｂでは、端子２３が、表示面２２と反対側へ屈曲されて延在されている。一方の端子群２４ａは、他方の端子群２４ｂよりも端子２３の数が少なくされている。
【００１８】
ケース１５は、表面板部３１と、裏カバー３２とを有しており、表面板部３１には、例えば、黒色等の遮光印刷３１ａが施されて乱反射が防止されている。
【００１９】
このケース１５には、表面側が開口された収容部３３が形成されている。この収容部３３には、その開口部３４側から液晶表示板２１が嵌め込まれる。この収容部３３は、両側の側壁３５、上方側の側壁３６及び下方側の側壁３７で囲われている。
【００２０】
ケース１５内には、配線板４１が収容されている。この配線板４１は、二つのコネクタ４２ａ，４２ｂと、二つの光源４３とを有している。この配線板４１は、ケース１５の裏面側からケース１５に装着されて固定されている。
【００２１】
この配線板４１のコネクタ４２ａには、液晶表示板２１の端子群２４ａの各端子２３が挿し込まれて接続される。また、配線板４１のコネクタ４２ｂには、液晶表示板２１の端子群２４ｂの各端子２３が挿し込まれて接続される。そして、この配線板４１に実装された駆動ＩＣ等によって液晶表示板２１に、燃料の残量表示や走行距離などの各種の車両走行に必要な事項が表示される。
【００２２】
また、配線板４１に実装された光源４３は、例えば、発光ダイオード（ＬＥＤ）等からなるもので、コネクタ４２ａの両側に配置されている。
【００２３】
ケース１５には、液晶表示板２１の端子群２４ａの配置側に設けられた上方側の側壁３６に、第一反射面４５が形成されている。この第一反射面４５には、その中央に、切欠部４６が形成されており、液晶表示板２１の端子群２４ａが第一反射面４５に干渉することなく切欠部４６に配置される。
【００２４】
また、ケース１５には、液晶表示板２１の端子群２４ｂの配置側に設けられた下方側の側壁３７に、第二反射面４８が形成されている。この第二反射面４８には、側壁３７との連結側に、端子挿入口４９が形成されており、液晶表示板２１の端子群２４ｂが挿入される。
【００２５】
第一反射面４５は、配線板４１の光源４３の上方で光源４３と液晶表示板２１との間に配置されており、光源４３の光Ｌを第二反射面４８へ向かって反射させるように湾曲されている。また、この第一反射面４５は、その両側の隅部が、第二反射面４８の幅方向の略中央へ向けられた補助反射面４５ａとされており、この補助反射面４５ａは、光源４３からの光Ｌａを第二反射面４８の略中央へ向けて反射させるように、第二反射面４８の略中央に対して凹となるように湾曲している。
【００２６】
第二反射面４８は、液晶表示板２１の対向位置に配置されており、第一反射面４５で反射された光源４３からの光Ｌを、液晶表示板２１へ向かって反射させるように湾曲されている。
【００２７】
このような第一反射面４５及び第二反射面４８を有する表示画面１３では、図３から図５に示すように、光源４３が点灯すると、その光Ｌが第一反射面４５で反射される。この反射した光Ｌは、コネクタ４２ａに挿し込まれて接続された端子群２４ａの両側部を通り、第二反射面４８へ導かれ、この第二反射面４８で反射されて液晶表示板２１へ導かれる。これにより、液晶表示板２１は、その裏面から照明されることとなり、よって、表示画面１３では、視認性の高い表示が得られる。
【００２８】
ここで、図６及び図７に示すように、両側の隅部が第二反射面４８の幅方向の略中央へ向けられた補助反射面４５ａとされていない第一反射面４５では、光源４３から側方へ向かう一部の光Ｌａが、直接または第一反射面４５で反射して両側壁３５に照射されることがある。すると、この両側壁３５に照射された光Ｌａが乱反射し、その乱反射した光Ｌａが第二反射面４８で反射されて液晶表示板２１へ導かれてしまう。これにより、液晶表示板２１における輝度ムラが生じ、表示画面１３における表示の視認性が低下することがある。
【００２９】
これに対して、本実施形態に係る計器の照明構造では、図４及び図５に示すように、光源４３から側方へ向かう一部の光Ｌａが、第二反射面４８の幅方向の略中央へ向けられた補助反射面４５ａで第二反射面４８の略中央へ向けて反射され、第二反射面４８で反射されて液晶表示板２１へ導かれる。つまり、光源４３から側方へ向かう一部の光Ｌａは、側壁３５で乱反射することなく液晶表示板２１へ導かれることとなる。したがって、側壁３５での乱反射による液晶表示板２１における輝度ムラが抑制される。
【００３０】
このように、本実施形態に係る計器の照明構造によれば、光源４３の光Ｌを第一反射面４５で反射させて第二反射面４８へ導き、この第二反射面４８で反射させて液晶表示板２１へ導くので、液晶表示板２１を良好に照明することができる。
【００３１】
また、光源４３から側方へ向かう一部の光Ｌａは、第二反射面４８の幅方向の略中央へ向けられた補助反射面４５ａで第二反射面４８の略中央へ向けて反射され、第二反射面４８で反射されて液晶表示板２１へ導かれる。つまり、光源４３から側方へ向かう一部の光Ｌａは、収容部３３を形成する側壁３５等で乱反射することなく液晶表示板２１へ導かれることとなる。したがって、乱反射による液晶表示板２１における輝度ムラを抑制しつつ光源４３からの光を有効に利用することができ、液晶表示板２１の視認性を高めることができる。
【００３２】
また、反射面を計器の両側部に設けることなく、光源４３から側方へ向かう一部の光Ｌａを略中央へ導く構造であるので、液晶表示板２１の小型化を図ることができる。
【００３３】
特に、液晶表示板２１に設けられた配列長さの短い端子群２４ａの両側に光源４３を配置させることでスペースの有効利用を図ることができる。これにより、液晶表示板２１を良好に照明しつつ液晶表示板２１のさらなる小型化を図ることができる。
【００３４】
なお、上記実施形態では、第一反射面４５と第二反射面４８との間に、液晶表示板２１の端子群２４ａが障害物として配置された場合を例にとって説明したが、障害物としては、端子群２４ａに限らず、他の部品等であっても良く、また、障害物がなくても良い。
【００３５】
また、上記実施形態では、照明対象物が液晶表示板２１の場合を例にとって説明したが、本発明は、液晶表示板２１に限らず、計器の文字板等を照明する照明構造にも適用可能である。
【００３６】
尚、本発明は、上述した実施形態に限定されるものではなく、適宜、変形、改良、等が可能である。その他、上述した実施形態における各構成要素の材質、形状、寸法、数、配置箇所、等は本発明を達成できるものであれば任意であり、限定されない。
【符号の説明】
【００３７】
１１  メータ装置（計器）
２１  液晶表示板（照明対象物）
２３  端子
２４ａ，２４ｂ  端子群
３３  収容部
３４  開口部
４３  光源
４５  第一反射面
４５ａ  補助反射面
４８  第二反射面
Ｌ，Ｌａ  光
【図１】
2014109542.tif 000003
【図２】
2014109542.tif 000004
【図３】
2014109542.tif 000005
【図４】
2014109542.tif 000006
【図５】
2014109542.tif 000007
【図６】
2014109542.tif 000008
【図７】
2014109542.tif 000009